(57)【要約】【課題】施工性に優れた浴室ユニットを提供する。【解決手段】浴槽と洗い場床との境界から洗い場床側に離間して洗い場床の縁部の上に立設されるジョイナーと、洗い場床に対する奥側から洗い場床側に向かう方向に延在する浴槽上端縁部の上に立設されると共に、洗い場床側の側端部が浴槽上端縁部よりも洗い場床側に延出してジョイナーに嵌合する第１の壁パネルと、ジョイナーの立設位置から浴槽に対して遠ざかる方向に延在する洗い場床の縁部の上に立設されると共に浴槽側の側端部がジョイナーに嵌合する第２の壁パネルと、第１の壁パネル及び第２の壁パネルが設置された後に、第１の壁パネルの下方における浴槽とジョイナーとの間に形成された開口部に取り付けられその開口部を閉塞する第３の壁パネルと、を備えた。【選択図】図１
2008101424.tif 000002
【特許請求の範囲】
【請求項１】
浴槽と、
前記浴槽とは別体として構成され、前記浴槽に隣接して設置される洗い場床と、
前記浴槽及び前記洗い場床を設置後に、前記浴槽と前記洗い場との境界に設けられ、前記浴槽における前記洗い場床側の側面を覆い隠す板状のバスエプロンと、
前記浴槽と前記洗い場床との境界から前記洗い場床側に離間して、前記洗い場床の縁部の上に立設されるジョイナーと、
前記洗い場床に対する奥側から前記洗い場床側に向かう方向に延在する前記浴槽の上端縁部の上に立設されると共に、前記洗い場床側の側端部が、前記浴槽の上端縁部よりも前記洗い場床側に延出して前記ジョイナーに嵌合する第１の壁パネルと、
前記ジョイナーの立設位置から前記浴槽に対して遠ざかる方向に延在する前記洗い場床の縁部の上に立設されると共に、前記浴槽側の側端部が前記ジョイナーに嵌合する第２の壁パネルと、
前記第１の壁パネル及び前記第２の壁パネルが設置された後に、前記第１の壁パネルの下方における前記浴槽と前記ジョイナーとの間に形成された開口部に取り付けられ、前記開口部を閉塞する第３の壁パネルと、
を備えたことを特徴とする浴室ユニット。
【請求項２】
前記浴槽の底部裏面に、高さ調節可能な支持脚が設けられ、
前記第１の壁パネル及び前記第２の壁パネルが設置された状態で、前記開口部を通じて、前記支持脚の高さ調節が可能であることを特徴とする請求項１記載の浴室ユニット。
【請求項３】
前記第３の壁パネルは、前記第１の壁パネル及び前記第２の壁パネルが設置された状態を維持したまま、取り外し可能であることを特徴とする請求項１または２に記載の浴室ユニット。
【請求項４】
浴槽・洗い場兼用水栓が、前記ジョイナーをまたがらずに、前記第１の壁パネルにおける前記第２の壁パネルとの境界付近に取り付けられたことを特徴とする請求項１〜３のいずれか１つに記載の浴室ユニット。
【請求項５】
前記洗い場床の縁部を挟み込むことで前記縁部にジョイナー取付具が固定され、
前記ジョイナー取付具に対して、前記ジョイナーの下端部が固定されたことを特徴とする請求項１〜４のいずれか１つに記載の浴室ユニット。
【発明の詳細な説明】
【技術分野】
【０００１】
本発明は、浴槽と洗い場とが分割された構造の浴室ユニットに関する。
【背景技術】
【０００２】
浴槽と洗い場床とが分割された構造の浴室ユニットは、浴槽と洗い場床とが一体成型されているものに比べて、搬入性、施工性、保守性に優れ、特に増改築に適している。例えば、特許文献１には、浴槽と、洗い場用防水パンと、浴槽のリム部と防水パンの土手部とを水密に結合するための結合部材と、浴槽における一側面の側（防水パン側）を覆うバスエプロンと、を別体で構成し、これらを現場にて組み付けるようにしたバスユニットが開示されている。
【０００３】
特許文献１では、先ず、防水パンが建築構造物上に設置され、その高さ調整がなされ、この後、防水パンの隣に浴槽が配置され、その高さ調整がなされる。次いで、浴槽と防水パンの両者の一辺側の両端部を一対の結合部材で相互に結合する。次いで、浴槽及び防水パンの周囲に浴室を画成する壁パネルを建て付ける。
【０００４】
特許文献１においては、浴槽のリム部周縁及び防水パンの周縁の上に壁パネルを建て付けた後に、浴槽や防水パンの高さ調整を行うために浴室側から壁パネルの裏側に通じて設けられた開口部の存在は認められず、また、バスエプロンが取り付けられる前に形成される、壁パネルの裏側に通じる開口部は非常に狭く、その開口部を通じて浴槽の奥側の支持脚の高さ調整を行うことは困難である。したがって、浴槽のリム部周縁及び防水パンの周縁の上に壁パネルが建て付けられた状態で、各壁パネル間の組み付け部分、壁パネルと浴槽との組み付け部分、壁パネルと防水パンとの組み付け部分に不具合（部材間の隙間や傾きなど）が出ても、浴槽や防水パンの高さ調整によってそれら不具合を解消することはできなかった。
【特許文献１】特開２００５−２９６３６０号公報
【発明の開示】
【発明が解決しようとする課題】
【０００５】
本発明は、施工性に優れた浴室ユニットを提供する。
【課題を解決するための手段】
【０００６】
本発明の一態様によれば、浴槽と、前記浴槽とは別体として構成され、前記浴槽に隣接して設置される洗い場床と、前記浴槽及び前記洗い場床を設置後に、前記浴槽と前記洗い場との境界に設けられ、前記浴槽における前記洗い場床側の側面を覆い隠す板状のバスエプロンと、前記浴槽と前記洗い場床との境界から前記洗い場床側に離間して、前記洗い場床の縁部の上に立設されるジョイナーと、前記洗い場床に対する奥側から前記洗い場床側に向かう方向に延在する前記浴槽の上端縁部の上に立設されると共に、前記洗い場床側の側端部が、前記浴槽の上端縁部よりも前記洗い場床側に延出して前記ジョイナーに嵌合する第１の壁パネルと、前記ジョイナーの立設位置から前記浴槽に対して遠ざかる方向に延在する前記洗い場床の縁部の上に立設されると共に、前記浴槽側の側端部が前記ジョイナーに嵌合する第２の壁パネルと、前記第１の壁パネル及び前記第２の壁パネルが設置された後に、前記第１の壁パネルの下方における前記浴槽と前記ジョイナーとの間に形成された開口部に取り付けられ、前記開口部を閉塞する第３の壁パネルと、を備えたことを特徴とする浴室ユニットが提供される。
【発明の効果】
【０００７】
本発明によれば、施工性に優れた浴室ユニットが提供される。
【発明を実施するための最良の形態】
【０００８】
以下、図面を参照し、本発明の実施形態について説明する。
【０００９】
図１は、本発明の実施形態に係る浴室ユニットを模式的に表す斜視図である。
【００１０】
本実施形態に係る浴室ユニットは、主として、浴槽１と、洗い場床２と、バスエプロン９と、ジョイナー１６、１７と、第１〜第５の壁パネル２１ａ、２１ｂ、２２、２３、２４、２５と、ドアＤＲと、を備えている。これらは、別体として、浴室ユニットの設置現場に搬入され、その現場にて組み付けられる。浴槽と洗い場床とが分割された構造の浴室ユニットは、浴槽と洗い場床とが一体成型されているものに比べて、搬入性、施工性、保守性に優れ、特に増改築に適している。
【００１１】
浴槽１の底部裏面における四隅近傍には、支持脚６が設けられ、その支持脚６を介して、浴槽１は浴室設置面上に設置される。支持脚６は、回転させることで高さ調節可能なボルト構造を有する。
【００１２】
洗い場床２は、周縁部が上側に折り曲げられた浅底の器状（パン状）に形成され、浴室外部に湯水を漏出させない防水性を有する。洗い場床２の裏面における四隅近傍には、支持脚７が設けられ、その支持脚７を介して、洗い場床２は、浴槽１に隣接して浴室設置面上に設置される。支持脚７は、回転させることで高さ調節可能なボルト構造を有する。
【００１３】
洗い場床２において、浴槽１との境界部近傍に、排水ピット（図１では、着脱自在の蓋３で塞がれている）が形成されている。排水ピットが設けられた部分はくぼんでおり、洗い場床２表面には、排水ピットに向けて下向き傾斜した排水勾配が付けられている。洗い場床２の裏側において、浴槽１との境界部近傍には排水管５が設けられ、排水ピットは図示しない排水トラップを介して排水管５に接続されている。また、浴槽１の底部に設けられた排水口も、排水管５に接続されている。
【００１４】
洗い場床２の４縁部のうち、浴槽１と洗い場床２との境界から、浴槽１に対して遠ざかる方向に延在する２つの縁部１４ａ、１４ｂのそれぞれには、ジョイナー１６、１７が立設されている。ジョイナー１６、１７は、浴槽１と洗い場床２との境界から、洗い場床２側に離間した位置に立設されている。
【００１５】
一方のジョイナー１６は、浴槽１の短辺側の上端縁部１１ａ及び第３の壁パネル２３の上端縁部の上に立設される第１の壁パネル２１ａと、この第１の壁パネル２１ａに隣接して洗い場床２の縁部１４ａの上に立設される第２の壁パネル２２とを接続する接続柱として機能する。
【００１６】
他方のジョイナー１７は、浴槽１の短辺側の上端縁部１１ｂ及び第３の壁パネル２３の上端縁部の上に立設される第１の壁パネル２１ｂと、この第１の壁パネル２１ｂに隣接して洗い場床２の縁部１４ｂの上に立設されるドアＤＲとの間に立設されている。
【００１７】
第１の壁パネル２１ａは、洗い場床２に対する奥側から、洗い場床２側に向かう方向に延在する浴槽１の上端縁部１１ａの上に立設される。第１の壁パネル２１ａにおいて洗い場床２側の側端部は、浴槽１の上端縁部１１ａよりも洗い場床２側に延出してジョイナー１６に嵌合している。
【００１８】
第１の壁パネル２１ａに対向配置される第１の壁パネル２１ｂは、洗い場床２に対する奥側から、洗い場床２側に向かう方向に延在する浴槽１の上端縁部１１ｂの上に立設される。第１の壁パネル２１ｂにおいて洗い場床２側の側端部は、浴槽１の上端縁部１１ｂよりも洗い場床２側に延出してジョイナー１７に嵌合している。
【００１９】
第２の壁パネル２２は、ジョイナー１６の立設位置から、浴槽１に対して遠ざかる方向に延在する洗い場床２の縁部１４ａの上に立設される。第２の壁パネル２２において浴槽１側の側端部は、ジョイナー１６に嵌合している。
【００２０】
ドアＤＲは、ジョイナー１７の立設位置から、浴槽１に対して遠ざかる方向に延在する洗い場床の縁部１４ｂの上に立設される。ドアＤＲは、浴室と、この浴室に隣接する例えば脱衣室との間を開閉する。
【００２１】
洗い場床２側から見て浴槽１の奥側の上端縁部１２の上には第４の壁パネル２４が立設される。浴槽１から遠い側の洗い場床２の縁部１５の上には第５の壁パネル２５が立設される。第１、第２、第４、第５の壁パネル２１ａ、２１ｂ、２２、２４、２５、ドアＤＲ及びジョイナー１６、１７の上には、図示しない天井パネルが取り付けられる。
【００２２】
第１、第２、第４、第５の壁パネル２１ａ、２１ｂ、２２、２４、２５及びドアＤＲが設置された後に、第１の壁パネル２１ａ、２１ｂの下方における浴槽１とジョイナー１６、１７との間に開口部が形成され、その開口部を閉塞するように第３の壁パネル２３が取り付けられる。
【００２３】
図２は、第３の壁パネル２３を浴室内側から見た斜視図である。
【００２４】
第３の壁パネル２３は、矩形板状の主パネル部３１と、主パネル部３１における浴槽１側の側端上部に設けられた浴槽固定部３２と、主パネル部３１における浴槽１側の側端下部に設けられた床固定部３３と、同じく側端下部に設けられたボス孔部３４と、主パネル部３１における浴槽１側の側端部から浴室内側に突出して設けられたバスエプロン取付部３５とを有し、これらは一体に構成されている。
【００２５】
再び図１を参照して説明すると、浴槽１と洗い場との境界には、板状のバスエプロン９が設けられ、このバスエプロン９によって、浴槽１における洗い場床２側の側面は覆い隠される。
【００２６】
第１の壁パネル２１ａにおいて、第２の壁パネル２２との境界付近には、浴槽・洗い場兼用水栓４が取り付けられている。浴槽・洗い場兼用水栓４は、ジョイナー１６をまたいで第２の壁パネル２２におよぶことなく、第１の壁パネル２１ａに取り付けられている。浴槽・洗い場兼用水栓４は、浴槽１と洗い場との境界付近に設けられ、そのカラン８を回動させることで、浴槽１内と洗い場との両方に湯水を供給可能であり、浴槽１側の水栓と洗い場側の水栓とを兼用している。
【００２７】
本実施形態に係る浴室ユニットは、以下の手順で、設置及び組み付けられる。
【００２８】
まず、洗い場床２を設置面上に設置し、排水管５等の接続を行った後、洗い場床２に隣接させて、浴槽１を設置面上に設置する。浴槽１と洗い場床２とは、図１０に表す連結部材８６によって連結される。
【００２９】
連結部材８６は、その一端部８７がねじ８２によって予め浴槽１の底面に固定されている。連結部材８６は、例えば浴槽１の長手方向の両端部近傍に取り付けられる。そして、浴槽１を洗い場床２に隣接設置するときに、連結部材８６のフック状の他端部８８を、洗い場床２における浴槽側の縁部に設けられた立ち上がり壁８５に形成された凹部８５ａにはめ込む。これにより、浴槽１と洗い場床２とが位置決めされる。
【００３０】
その状態で、浴槽１の支持脚６及び洗い場床２の支持脚７をそれぞれ回転させて、浴槽１及び洗い場床２それぞれの高さ調節を行う。この後、連結部材８６の他端部８８は、洗い場床２の凹部８５ａにはめ込まれた状態で、ねじ８１により立ち上がり壁８５に固定され、これにより、浴槽１と洗い場床２とが連結固定される。この後、浴槽１の排水エルボや排水トラップを浴槽排水接続管で連結する。
【００３１】
次に、ジョイナー１６、１７を、それぞれ、洗い場床の縁部１４ａ、１４ｂの上に立設する。  
図３は、洗い場床２の縁部１４ａに対するジョイナー１６の取付構造を表す模式図である。
【００３２】
ジョイナー１６は、一対のジョイナー取付具４１、４２を介して、洗い場床２の縁部１４ａに取り付けられる。一対のジョイナー取付具４１、４２は、洗い場床２の縁部１４ａを、浴室内側と外側の両側から挟み込み、その状態で、洗い場床２の縁部１４ａから斜め上方に傾斜しつつ建物の壁５０側に出っ張った互いの傾斜部４１ａ、４２ａどうしがねじ４５によって締め付けられることで、洗い場床２の縁部１４ａに対して固定される。
【００３３】
ねじ４５がねじ込まれる傾斜部４１ａ、４２ａは、水平ではなく、浴室内側を向くように傾斜しているため、ねじ４５は、鉛直方向に対して浴室側に傾いた方向からねじ込まれる。これにより、図３において２点鎖線で表す電動ドリル６０を、建物の壁５０側に出っ張らせることなくねじ４５をねじ込め、浴室ユニットと、建物の壁５０との間のスペースが狭くても、電動ドリル６０を用いたねじ止めを作業性よく行うことができる。
【００３４】
一対のジョイナー取付具４１、４２のうち、一方のジョイナー取付具４１の上端部４１ｂに、ジョイナー１６の下端部が、ねじ４６により固定される。なお、他方のジョイナー取付具４２の上端部を、前記一方のジョイナー取付具４１よりも上方に延出させて、そのジョイナー取付具４２に、ジョイナー１６の下端部をねじ止めしてもよい。
【００３５】
本実施形態によれば、ジョイナー取付具４１、４２は、洗い場床２の縁部１４ａを挟み込むことで洗い場床２に対して固定され、さらに、そのジョイナー取付具４１に対して、ジョイナー１６がねじ止めされて固定される構造となっている。したがって、洗い場床２に対して、ジョイナー１６やジョイナー取付具４１、４２がねじ止めされないので、洗い場床２に孔が空かず、洗い場床２の防水性を低下させない。
【００３６】
なお、ジョイナー１７についても、ジョイナー１６と同様な取付構造で洗い場床２の縁部１４ｂに取り付けられる。ジョイナー１６、１７の設置後、各壁パネル２１ａ、２１ｂ、２２、２４、２５及びドアＤＲを設置する。
【００３７】
図４は、ジョイナー１６に対する、第１の壁パネル２１ａ及び第２の壁パネル２２の嵌合構造を表す横断面図である。
【００３８】
第１の壁パネル２１ａにおいて、洗い場床側の側端部には、薄板を裏側（建物の壁側）に折り曲げて折り返した形状に加工された嵌合突起５１が設けられている。同様に、第２の壁パネル２２において、浴槽側の側端部には、薄板を裏側（建物の壁側）に折り曲げて折り返した形状に加工された嵌合突起５２が設けられている。
【００３９】
ジョイナー１６は、薄板を四角柱状に折り曲げてなり、浴室内側に向き合わされる部分には、弾性作用により拡縮自在なスリット５３が形成されている。そのスリット５３を押し広げるようにして、シール材（または２次ジョイナー）５４を介して、第１の壁パネル２１ａ及び第２の壁パネル２２それぞれの嵌合突起５１、５２が、スリット５３に嵌合する。
【００４０】
なお、ドアＤＲと第１の壁パネル２１ｂとの間に立設されたジョイナー１７も、上記ジョイナー１６と同様に構成され、このジョイナー１７に対する第１の壁パネル２１ｂの嵌合構造も、図４と同様な嵌合構造となっている。
【００４１】
第１の壁パネル２１ａ、２１ｂ及び第２の壁パネル２２が設置されると、第１の壁パネル２１ａ、２１ｂが浴槽１の上端縁部１１ａ、１１ｂより洗い場床２側に延出する部分の下方における浴槽１とジョイナー１６、１７との間に開口部が形成される。この開口部を閉塞するように、第３の壁パネル２３が取り付けられる。
【００４２】
図７〜９は、第３の壁パネル２３の取付方法を表す模式図である。
【００４３】
第３の壁パネル２３の取付方向を図７において白抜きの矢印で表すように、第３の壁パネル２３は、浴室の内側から取付位置に向けて配置される。
【００４４】
図８に表すように、第３の壁パネル２３における床固定部３３が、ねじ６１によって、洗い場床２における浴槽１側の角部６５に固定される。また、図９に表すように、第３の壁パネル２３における浴槽固定部３２が、ねじ６２によって、浴槽１における洗い場床２側の上端部６７に固定され、さらに、洗い場床２における浴槽１側の角部６５を浴室内側から貫通したねじ６３が、第３の壁パネル２３のボス孔部３４（図２）に対して締結される。
【００４５】
第３の壁パネル２３が取り付けられた後、浴槽１における洗い場床２側の側面１ａ（図７〜９）を覆い隠すようにして、バスエプロン９が取り付けられる。バスエプロン９の長手方向の両端部は、第３の壁パネル２３におけるバスエプロン取付部３５（図２）に対してねじ止めされる。
【００４６】
第３の壁パネル２３とバスエプロン９との合わせ部分には、シール部材やコーキング剤が介在される。第３の壁パネル２３と第１の壁パネル２１ａ、２１ｂとの合わせ部分にも、シール部材やコーキング剤が介在される。すなわち、第３の壁パネル２３は、第１の壁パネル２１ａ、２１ｂの下方における浴槽１とジョイナー１６、１７との間の開口部を液密に閉塞する。
【００４７】
本実施形態によれば、浴室のまわりを囲む第１の壁パネル２１ａ、２１ｂ、第２の壁パネル２２、第４の壁パネル２４、第５の壁パネル２５及びドアＤＲが設置された後に、第３の壁パネル２３が設置される。したがって、第１の壁パネル２１ａ、２１ｂ、第２の壁パネル２２、第４の壁パネル２４、第５の壁パネル２５及びドアＤＲが設置された後、第３の壁パネル２３を設置する前の状態では、第３の壁パネル２３が取り付けられるべき箇所に開口部が露見している。この開口部は、第１の壁パネル２１ａ、２１ｂの下方における浴槽１とジョイナー１６、１７との間に形成され、この開口部を通じて、浴槽１の支持脚６や、洗い場床２の支持脚７の高さ調節を行える。
【００４８】
ジョイナー１６、１７は、浴槽１と洗い場床２との境界にではなく、その境界から洗い場床２側に離れた位置に設けられているため、その分、浴槽１とジョイナー１６、１７との間に形成される開口部を広く確保できる。この結果、作業者が、洗い場床２上から、上記開口部を通じて、浴槽１の奥側の支持脚６に容易に手を届かせることができ、または、その開口部から頭を入れて、作業箇所を視認でき、作業効率が向上する。
【００４９】
浴槽１の上端縁部１１ａ、１１ｂに第１の壁パネル２１ａ、２１ｂが載り、浴槽１の上端縁部１２の上に第４の壁パネル２４が載り、洗い場床の縁部１４ａ、１４ｂ、１５に第２の壁パネル２２、ドアＤＲ及び第５の壁パネル２５が載った状態で、上記開口部を通じて支持脚６、７の高さ調整を行えるので、各壁パネル間の組み付け具合、壁パネルと浴槽１との組み付け具合、壁パネルと洗い場床２との組み付け具合、ドアＤＲと洗い場床２との組み付け具合等を確認しながら、それら組み付け具合を適切にするべく（例えば隙間や傾きがないようにするべく）、支持脚６、７の高さ調整を行える。この結果、施工品質の向上と施工作業の効率化が図れる。
【００５０】
また、第３の壁パネル２３を取り付けた後であっても、例えば、他部材との間に介在されたコーキング剤をカッターで切断するなどして、第１の壁パネル２１ａ、２１ｂ、第２の壁パネル２２、第４の壁パネル２４、第５の壁パネル２５及びドアＤＲを取り外すことなく、第３の壁パネル２３だけを取り外し可能である。
【００５１】
そして、第３の壁パネル２３が取り外されて露見する開口部を通じて、浴槽・洗い場兼用水栓４の配管や、浴槽側排水管、洗い場側排水管などの点検や修理を行うことが可能になる。また、例えば、第２の壁パネル２２に、後から手すり８０を取り付ける必要が生じた場合には、その手すり８０の取付補強用の補強部材を、第３の壁パネル２３が取り外されて露見する開口部を通じて、第２の壁パネル２２の裏側に取り付ける作業を行うことができる。
【００５２】
ここで、比較例として、ドア設置側に設けられるジョイナー１７を、浴槽１と洗い場床２との境界付近に設けると、浴槽１の上端縁部の上に立設される壁パネルと、ドアＤＲとの間に、それら両者間の空間を塞ぐための別の壁パネルが必要になり、部品点数増、施工手間増、コストアップを招く。
【００５３】
本実施形態では、ジョイナー１７は、浴槽１と洗い場床２との境界から洗い場床２側に離れた位置、すなわちドアＤＲ側に設けられているため、そのジョイナー１７を介して、浴槽１上端縁部１１ｂの上に立設され洗い場床２側に延出する第１の壁パネル２１ｂと、ドアＤＲとを隣接させることができ、前述した比較例に比べて、壁パネルの数を１つ少なくすることができる。
【００５４】
また、第２の壁パネル２２とドアＤＲとを入れ替えて設置することもでき、ドア位置の設計自由度が高い。すなわち、図１において、ジョイナー１７が立設された側の洗い場床縁部１４ｂの上に第２の壁パネル２２を設け、ジョイナー１６が立設された側の洗い場床縁部１４ａの上にドアＤＲを設けてもよい。両ジョイナー１６、１７の浴槽１からの離間距離は同じであり、よって、ジョイナー１６立設位置よりも浴槽１から遠ざかる側の洗い場床縁部１４ａの長さと、ジョイナー１７立設位置よりも浴槽１から遠ざかる側の洗い場床縁部１４ｂの長さとは等しい。したがって、どちらの縁部１４ａ、１４ｂに、第２の壁パネル２２を設置する場合でも、第２の壁パネル２２は同じ寸法のものを用いることができ、ドア位置の違いに対応するために別型で作られた第２の壁パネル２２を用意しなくてよく、コストアップをまねかない。
【００５５】
浴槽・洗い場兼用水栓４は、第２の壁パネル２２に隣接する側の第１の壁パネル（図１の例では第１の壁パネル２１ａ）に取り付けられる。そして、ジョイナー１６、１７を、浴槽１と洗い場床２との境界にではなく、その境界から洗い場床２側に離れた位置に設けることで、浴槽・洗い場兼用水栓４の取り付けにあたっても有利な点がある。
【００５６】
図５は、浴槽・洗い場兼用水栓４の取付用部材の分解斜視図である。  
図６は、浴槽・洗い場兼用水栓４の取付部の断面構造を表す模式図である。
【００５７】
第１の壁パネル２１ａの裏側には、給水管７６と給湯管７７が配管されている。給水管７６及び給湯管７７のそれぞれの上端部には、水栓エルボ７５が設けられ、水栓エルボ７５の先端開口のまわりには四角形状のプレート７４が設けられている。
【００５８】
浴槽・洗い場兼用水栓４の本体部４ａの背面に形成された給水口及び給湯口のそれぞれは、クランク部材７１の一端部と結合している。クランク部材７１の他端部は、取付部材７２を介して、第１の壁パネル２１ａに形成された取付孔を貫通して、第１の壁パネル２１ａの裏側の水栓エルボ７５に結合される。クランク部材７１の他端部の外周面には雄ねじが形成され、水栓エルボ７５の内周面には雌ねじが形成されており、これらの螺合により、クランク部材７１と水栓エルボ７５とが結合される。
【００５９】
クランク部材７１の外周面及び水栓エルボ７５の内周面には、シールテープが巻回されており、クランク部材７１と水栓エルボ７５との結合部の液密性を確保している。したがって、クランク部材７１を取り付けたり、取り外したりするときに、クランク部材７１を回転させると、上記シールテープの摩擦により、クランク部材７１の回転力が水栓エルボ７５に伝わって水栓エルボ７５に過大な力が作用し、水栓エルボ７５が、変形、破損、給水管７６や給湯管７７に対して曲がるなどするおそれがある。
【００６０】
そこで、第１の壁パネル２１ａの裏側に、回り止め部材７３を設けている。回り止め部材７３は、第１の壁パネル２１ａの裏面に接して取り付けられる矩形板状の取付部７３ａと、取付部７３ａに対して略直角に屈曲しつつ建物壁側に突出して取付部７３ａの上端部に設けられた上壁部７３ｂと、取付部７３ａに対して略直角に屈曲しつつ建物壁側に突出して取付部７３ａの下端部に設けられた下壁部７３ｃと、を有する。取付部７３ａには、クランク部材７１の他端部が貫通する貫通孔７８が形成されている。
【００６１】
取付部７３ａ、上壁部７３ｂおよび下壁部７３ｃによって囲まれる回り止め部材７３背面側の空間に、水栓エルボ７５に一体に設けられた四角形状のプレート７４が嵌り込んでおり、プレート７４に回転力が作用しても回り止め部材７３の上壁部７３ｂおよび下壁部７３ｃにぶつかってプレート７４は回転しない。したがって、プレート７４に一体な水栓エルボ７５の回転を防止できる。
【００６２】
比較的小さめの浴室ユニットでは、洗い場を広く確保したいため、浴槽側と洗い場側とで兼用される兼用水栓が好まれ、カランが浴槽と洗い場との両方に位置させることができるように、通常、浴槽と洗い場との境界付近の壁に取り付けられる。したがって、ジョイナー１６が、浴槽と洗い場との境界付近に立設されてしまうと、回り止め部材７３がジョイナー１６をまたいで取り付けられることになり、ジョイナー１６をよけるための何らかの加工を、回り止め部材７３に施す必要があり、既存の回り止め部材及び取付構造を採用できず、作業効率の低下やコストアップをまねく。また、ジョイナー１６をまたがないように、回り止め部材を２つに分割することも考えられるが、部材取付の工数が増え、作業効率の低下をまねく。
【００６３】
本実施形態では、ジョイナー１６は、浴槽１と洗い場との境界から洗い場側に離れた位置に設けられているため、ジョイナー１６をまたがずに、浴槽・洗い場兼用水栓４を、第１の壁パネル２１ａにおける第２の壁パネル２２との境界付近に取り付けることができる。この結果、前述した回り止め部材７３などの取付構造が複雑にならずに、作業性の低下やコストアップをまねかない。
【００６４】
以上、具体例を参照しつつ本発明の実施形態について説明した。しかし、本発明は、それらに限定されるものではなく、本発明の技術的思想に基づいて種々の変形が可能である。
【００６５】
第３の壁パネル２３の取付前に、先にバスエプロン９を取り付け、この後、第３の壁パネル２３を取り付けてもよい。
【図面の簡単な説明】
【００６６】
【図１】本発明の実施形態に係る浴室ユニットを模式的に表す斜視図である。
【図２】本発明の実施形態に係る浴室ユニットにおける第３の壁パネルを浴室内側から見た斜視図である。
【図３】本発明の実施形態に係る浴室ユニットにおけるジョイナーの取付構造を表す模式図である。
【図４】本発明の実施形態に係る浴室ユニットにおけるジョイナーと壁パネルとの嵌合構造を表す横断面図である。
【図５】本発明の実施形態に係る浴室ユニットにおける浴槽・洗い場兼用水栓の取付用部材の分解斜視図である。
【図６】本発明の実施形態に係る浴室ユニットにおける浴槽・洗い場兼用水栓の取付部の断面構造を表す模式図である。
【図７】本発明の実施形態に係る浴室ユニットにおける第３の壁パネルの取付方法を表す模式図である。
【図８】本発明の実施形態に係る浴室ユニットにおける第３の壁パネルの取付方法を表す模式図である。
【図９】本発明の実施形態に係る浴室ユニットにおける第３の壁パネルの取付方法を表す模式図である。
【図１０】本発明の実施形態に係る浴室ユニットにおける浴槽と洗い場床とを連結する連結部材の斜視図である。
【符号の説明】
【００６７】
１…浴槽、２…洗い場床、４…浴槽・洗い場兼用水栓、９…バスエプロン、１６，１７…ジョイナー、２１ａ，２１ｂ…第１の壁パネル、２２…第２の壁パネル、２３…第３の壁パネル、２４…第４の壁パネル、２５…第５の壁パネル、４１，４２…ジョイナー取付具
【図１】
2008101424.tif 000003
【図２】
2008101424.tif 000004
【図３】
2008101424.tif 000005
【図４】
2008101424.tif 000006
【図５】
2008101424.tif 000007
【図６】
2008101424.tif 000008
【図７】
2008101424.tif 000009
【図８】
2008101424.tif 000010
【図９】
2008101424.tif 000011
【図１０】
2008101424.tif 000012